(57)【要約】【課題】  本発明は、主電源からの配線ケーブルの電流変位と設定キースイッチの電流変位の双方を検出することによって精度の高い検出を可能とするスロットマシン不正検出装置を提供することを目的とするものである。【解決手段】  本発明は、パチスロ機２内部の照明灯の安定器に接続される電気コードに取り付けられる電流センサーによって電源のＯＦＦまたはＯＮを検知する電源瞬断検知手段３と、設定キーとメイン基板との接続ハーネスに取り付けられる電流センサーによって設定キーのＯＮ・ＯＦＦの切り替え時の電流変位を検知する設定キー検知手段４と、設定時間内に電源のＯＦＦからＯＮを検知し、警報を発する電源瞬断警報手段５および設定キー警報手段６とからなる不正設定変更検知器７と、この不正設定変更検知器７によって警報を表示する不正表示装置８とから構成されるものである。【選択図】        図１
2006141504.tif 000002
【特許請求の範囲】
【請求項１】
スロットマシンの照明灯の配線に取り付けられるクランプ式を含む電流センサーにより電流変位が検出される電源瞬断検知手段と、
設定キーのＯＮからＯＦＦまたはＯＦＦからＯＮの切り替えによる電流変位がクランプ式を含む電流センサーにより検出される設定キー検知手段と、
前記電源瞬断検知手段によって電流が遮断されたことを検知したときに、警戒モードになり設定時間以内に電源がＯＦＦからＯＮ状態となったときに警報を発する電源瞬断警報手段と、
前記設定キー検知手段によって設定キーのＯＮからＯＦＦまたはＯＦＦからＯＮの変化したときに警報を発する設定キー警報手段を備える
ことを特徴とするスロットマシン不正検出装置。
【請求項２】
前記複数台のスロットマシンを１グループとし、それぞれのスロットマシンが接続ケーブルによって接続され、そのいずれかのスロットマシンに不正が検出されたときには一括して警報を発する警報手段を備える
ことを特徴する請求項１記載のスロットマシン不正検出装置。
【請求項３】
前記それぞれのスロットマシンを接続する接続ケーブルのいずれかが引き抜かれるときに警報を発する警報手段を備える
ことを特徴とする請求項２記載のスロットマシン不正検出装置。
【請求項４】
前記電源瞬断検知手段による電源の立上げまたは立下げによる検知の際のプラスマイナス０．３秒間の設定キー検知手段による検知を無視することを
特徴とする請求項１、２または３記載のスロットマシン不正検出装置。
【発明の詳細な説明】
【技術分野】
【０００１】
本発明は、スロットマシン不正検出装置に関する。詳しくはスロットマシンの大当たり確率設定値変更を調整するための設定キーの不正を検出することと、メイン基板・ハーネス交換を未然に防ぐスロットマシン不正検出装置に係るものである。
【背景技術】
【０００２】
従来よりスロットマシンンは、図５に示すように、コインを投入し、回転する３個のドラム１０１をそれぞれに設けられる停止ボタン１０２によって停止し、それぞれのドラム１０１に描かれた絵柄が揃うことによりコインが払い出されるものであり、電子制御によって絵柄の種類等によって決められた数のコインを遠心力によってコイン払出口１０３より払い出す機構とするものである。
【０００３】
そこでホールに設置される各スロットマシンには、図６に示すように電源スイッチ１０４、リセットボタン１０５、コイン回収スイッチ１０６および設定キースイッチ１０７などの各種制御スイッチなどが収納された電源ボックス１０８が設置されている。
【０００４】
これら電源ボックス１０８に設けられる電源スイッチ１０４、リセットボタン１０５、コイン回収スイッチ１０６などの操作は、従業員がスロットマシンの扉を開いて操作するものであるが、設定キースイッチ１０７については、ホールの責任者のみが管理するキーによってスロットの当たりの確率を制御するためのＯＮ・ＯＦＦ操作を行っている。
【０００５】
したがって、設定キースイッチをＯＮして、設定操作ボタンなどを操作することにより、各スロットマシンの大当たり確率を、例えば６段階に制御することができるものであり、各大当たり確率を変更できないような機構とされるものである。
【０００６】
ところが不正なことを行う外部の者や内部従業員の荷担によって、コピーの鍵を使用しての不正な大当確率設定変更行為が頻繁に行われ、しかも不正行為が行われたのか否か、ホールの経営者や管理者が確実に把握できない問題があり、これらの不正を確実に検出する装置として、例えば図７に示す発明がある。このスロットマシン不正検出装置は、スロットマシン１０８の外部または内部の配線１０９にクランプ式を含む電流センサー１１０を取り付け、電流変化判定部１１１で電流の変化を検出し、ｎビットカウンタ１１２（ｎ≧１）で変化が何回あったかを計数し、カウント値表示部／出力部１１３で、そのカウント値の表示をしたり、スロットマシンの管理システムなどの外部に出力することで、不正な行為を確実に検出できる構成とする（特許文献１参照。）。
【０００７】
【特許文献１】特開２００３−７９８０８号公報（要約書、第１図）
【発明の開示】
【発明が解決しようとする課題】
【０００８】
しかしながら前記スロットマシン不正検出装置では、電源部に供給されている電流が、電源スイッチにより、ＯＦＦまたはＯＮにされると、配線ケーブルの電流の状態の変化を電流センサーで検出し、その電流変位の回数によって不正行為の判定を行うものであるが、最近では電源スイッチを、ＯＦＦまたはＯＮに操作せずに、電源ボックスに接続されるハーネスに不正物を挿入して設定キースイッチをＯＮ・ＯＦＦに操作する不正行為があり、この場合には、配線ケーブルの電流変位が検出されない状態で設定キースイッチの不正操作が行われる問題がある。
【０００９】
本発明は、以上の点に鑑みて創案されたものであって、主電源からの配線ケーブルの電流変位と設定キースイッチの電流変位の双方を検出することによって精度の高い検出を可能とするスロットマシン不正検出装置を提供することを目的とするものである。
【課題を解決するための手段】
【００１０】
上記目的を達成するために、本発明に係る半導体装置は、スロットマシンの照明灯の配線に取り付けられるクランプ式を含む電流センサーにより電流変位が検出される電源瞬断検知手段と、設定キーのＯＮからＯＦＦまたはＯＦＦからＯＮの切り替えによる電流変位がクランプ式を含む電流センサーにより検出される設定キー検知手段と、前記電源瞬断検知手段によって電流が遮断されたことを検知したときに、警戒モードになり設定時間以内に電源がＯＦＦからＯＮ状態となったときに警報を発する電源遮断警報手段と、前記設定キー検知手段によって設定キーのＯＮからＯＦＦまたはＯＦＦからＯＮの変化したときに警報を発する設定キー警報手段を備える。
【００１１】
ここで、設定の変更を目的として不正にスロットマシンの電源が遮断された場合には、電流センサーにより電流の変位が検知されて警戒モードとなる。そして設定時間内に設定キーの不正操作が行われる時間内に電源がＯＮの状態とされたときに電源遮断警報手段によって警報が発せられる。また、電源を遮断せずに設定キーをＯＮからＯＦＦまたはＯＦＦからＯＮの切り替えによる不正が行われた場合には、設定キー検知手段により電流の変位が検知されたときには設定キー警報手段によって警報を発する構成とされる。
【００１２】
また、例えばホールの島ごとに配置される複数のスロットマシンを１グループとし、１グループの各スロットマシンに装着している不正検出装置を接続ケーブルにより接続し、そのいずれかのスロットマシンに不正が行われた場合には一括してパトランプなどによって警報を発する構成とするものである。
【００１３】
さらに、前記それぞれスロットマシンに装着している不正検出装置に接続される接続ケーブルが故意に引く抜かれた場合には、前記同様に一括してパトランプなどによって警報を発する構成とするものである。
【００１４】
なお、不正により電源を遮断した場合には、同時に設定キーの電流の変位が生起するものであり、この電流変位による設定キー警報手段によって警報を発するのを未然に防ぐために、前記電源瞬断検知手段による電源の立上げまたは立下げによる検知の際のプラスマイナス０．３秒間の設定キー検知手段による検知を無視する構成とするものである。
【発明の効果】
【００１５】
以上の構成よりなる本発明では、外部者または内部従業員が故意にスロットマシンの電源を遮断し、設定キーを変更した後に再び設定時間内に電源を入れた場合に警報を発することにより不正行為を防ぐことが可能となるものである。
【００１６】
また、電源を遮断せずにハーネスに不正物を挿入して電源を遮断せずに設定キーをＯＮ・ＯＦＦまたはＯＦＦ・ＯＮに切り替えて不正を行う場合でも、設定キー検知手段により電流変位を検知して警報を発することにより不正行為を防ぐことが可能となる。
【発明を実施するための最良の形態】
【００１７】
以下、本発明の実施の形態を図面を参酌しながら説明し、本発明の理解に供する。
図１は、本発明を適用したスロットマシン不正検出装置の外部犯行を監視する場合の一例を示すブロック回路図である。
【００１８】
ここで示すスロットマシン不正検出装置１は、パチスロ機２内部の照明灯の安定器に接続される電気コードに取り付けられる電流センサーによって電源のＯＦＦまたはＯＮを検知する電源瞬断検知手段３と、設定キーとメイン基板との接続ハーネスに取り付けられる電流センサーによって設定キーのＯＮ・ＯＦＦの切り替え時の電流変位を検知する設定キー検知手段４と、設定時間内に電源のＯＦＦからＯＮを検知し、警報を発する電源瞬断警報手段５および設定キー警報手段６とからなる不正設定変更検知器７と、この不正設定変更検知器７によって警報を表示する不正表示装置８とから構成されるものである。
【００１９】
前記電源瞬断検知手段３および設定キー検知手段４として使用される電流センサーは、クランプ式を含む電流センサーとすることで、配線を取り外すことなく、電流センサーを取り付けることができる。
【００２０】
また、電源瞬断警報手段５は、タイマーリセット回路が組み込まれており、設定時間を例えば１時間、３時間、５時間に変更して警報をリセットできる構成とするものである。
さらに、設定キー警報手段６は、図３に示すように、電源の瞬断によるＯＦＦの状態、あるいはＯＦＦからＯＮへの立ち上げ時の際の＋−０．３秒以内に設定キー回路に電流変位が生じ、この電流変位を設定キー検知手段４が検知することで誤作動を生じることがあるために、この０．３秒以内に生じた設定キーの電流変位を無視する回路が組み込まれている。
【００２１】
不正表示装置８は、電源瞬断警報手段５および設定キー警報手段６によって発せられる警報電気信号によって各スロットマシン機に取り付けられる豆ランプ又はナンバーランプを点灯させ不正を表示させる構成とするものである。
【００２２】
また、不正設定変更検知器７には、モニター９、リセットスイッチ１０および設定スイッチ１１が設けられ、さらに直流電源（１２Ｖ）１２が接続され、各スロットマシン内に設置される不正設定変更検知器７を電源用ケーブル１３によって接続されことで複数の不正設定変更検知器７を作動させる構成とする。
【００２３】
ここで、外部者により不正行為を行う場合に、スロットマシンの前面扉の隙間よりピアノ線などを差し入れて設定ボックスの設けられる電源スイッチを瞬断したときの電流変位を電源瞬断検知手段３によって検知して警戒モードとなる。そして設定キーの不正操作によって大当確率設定変更行為が行われる時間が通常は１時間以内とされる場合には設定時間を１時間とすることによって、その時間内に電源スイッチをＯＦＦからＯＮに立ち上げたときの電流変位を検知して電源瞬断警報手段５によって不正表示装置８による豆ランプを点灯させることで不正を検出する。
【００２４】
また、ハーネスに不正物を挿入して電源瞬断を行わずに設定キーのＯＮ・ＯＦＦ操作による不正行為を行った場合には、設定キーのＯＮ・ＯＦＦの切り替え時に生起する電流変位を設定キー検知手段４によって検知し、設定キー警報手段６によって不正表示装置８による豆ランプ又はナンバーランプを点灯させることで不正を検出する。
【００２５】
なお、電源が瞬断され、設定時間内に電源が立ち上げられない場合には、自動的に警戒モードが解除される。
【００２６】
次に、図２は、本発明を適用したスロットマシン不正検出装置の内部犯行、外部犯行を監視する場合の一例を示すブロック回路図である。
【００２７】
ここで示すスロットマシン不正検出装置１は、パチスロ機２内部の照明灯の安定器に接続される電気コードに取り付けられる電流センサーによって電源のＯＦＦまたはＯＮを検知する電源瞬断検知手段３と、設定キーとメイン基板との接続ハーネスに取り付けられる電流センサーによって設定キーのＯＮ・ＯＦＦの切り替え時の電流変位を検知する設定キー検知手段４と、設定時間内に電源のＯＦＦからＯＮを検知し、警報を発する電源瞬断警報手段５および設定キー警報手段６とからなる不正設定変更検知器７と、この不正設定変更検知器７によって警報を表示する不正表示装置８および複数のスロットマシンに装着されている不正検出装置を１グループとして一括して警報を表示する警報ボックス１４とから構成されるものである。
【００２８】
そこで、例えばホールの島に設置される複数のスロットマシンに装着されている不正検出装置を１グループとする。そして各スロットマシンに装着されている不正検出装置には、図１において詳述したように、前記電源瞬断検知手段３および設定キー検知手段４として使用される電流センサーは、クランプ式を含む電流センサーとすることで、配線を取り外すことなく、電流センサーを取り付けることができる。
【００２９】
また、電源瞬断警報手段５は、タイマーリセット回路が組み込まれており、設定時間を例えば１時間、３時間、５時間に変更して警報をリセットできる構成とするものである。
さらに、設定キー警報手段６は、図３に示すように、電源の瞬断によるＯＦＦの状態、あるいはＯＦＦからＯＮへの立ち上げ時の際の＋−０．３秒以内に設定キー回路に電流変位が生じ、この電流変位を設定キー検知手段４が検知することで誤作動を生じることがあるために、この０．３秒以内に生じた設定キーの電流変位を無視する回路が組み込まれている。
【００３０】
不正表示装置８は、電源瞬断警報手段５および設定キー警報手段６によって発せられる警報電気信号によって各スロットマシン機に取り付けられる豆ランプ又はナンバーランプを点灯させる構成とするものである。
【００３１】
また、不正設定変更検知器７には、モニター９、リセットスイッチ１０および設定スイッチ１１が設けられ、さらに直流電源（１２Ｖ）１２が接続され、各スロットマシン内に設置される不正設定変更検知器７を電源用ケーブル１３によって接続されことで複数の不正設定変更検知器７を作動させる構成とする。
【００３２】
さらに、各不正設定変更検知器７の不正警報端子１５には一括警報接続ケーブル１６によって接続されており、これらの不正設定変更検知器７のいずれかの警報電気信号が警報ボックス１４に入力されることで一括して警報が発せられる構成とするものである。
【００３３】
この警報ボックス１４は、島端などに配置され、パトライトなどを点滅させることによって１グループ内で不正が行われていることをいち早く認識することができ、さらに１グループ内のスロットマシンのいずれかの豆ランプ又はナンバーランプが点灯しているのを見出すことで不正を検出することが可能となる。また、警報ボックス１４にはキースイッチ１７が設けられ、このキースイッチ１７により各スロットマシンに設置される不正検出装置又は警報ボックス１４のパトライトをリセットできないようにすることにより内部従業員の不正を防止することができる。
【００３４】
このようにして１グループ内のいずれかのスロットマシンの電源スイッチを瞬断したときの電流変位を電源瞬断検知手段３によって検知して警報モードとなる。そして設定キーの不正操作によって大当確率設定変更行為が行われる時間が通常は１時間以内とされる場合には設定時間を１時間とすることによって、その時間内に電源スイッチをＯＦＦからＯＮに立ち上げたときの電流変位を検知して電源瞬断警報手段５によって不正表示装置８による豆ランプ又ナンバーランプを点灯させると同時に警報ボックス１４のパトライトが点灯することで不正を検出する。
【００３５】
また、図４に示すように、各不正設定変更検知器の全ての接続コネクターの予備ピン２本をユニット基板側で接続することにより、コネククターが引き抜かれると断線信号が生じる構成となっており、この断線信号によって断線を検知することで警報を発する構成とするものである。
【００３６】
以上の構成よりなる本発明では、電源の瞬断による不正検出と設定キーのＯＮ・ＯＦＦ操作による不正検出が同時に行われることにより、大当確率設定変更行為を未然に防ぐことが可能となる。
【００３７】
また、警報ボックスを設ける場合には各スロットマシンに設置される不正検出装置をリセットすることができず、警報ボックスに設けられるキースイッチのみしかリセットをすることができず、内部従業員による不正を防止することができる。
【図面の簡単な説明】
【００３８】
【図１】本発明を適用したスロットマシン不正検出装置の外部犯行を監視する場合の一例を示すブロック回路図である。
【図２】本発明を適用したスロットマシン不正検出装置の内部犯行、外部犯行を監視する場合の一例を示すブロック回路図である。
【図３】スロットマシンにおける電源のＯＮ・ＯＦＦ時の設定キーのパルス信号を示す説明図である。
【図４】発明を適用したスロットマシン不正検出装置の引き抜き警報の接続ケーブル配線図を示す。
【図５】スロットマシンの概要説明図である。
【図６】スロットマシンにおける設定ボックスの説明図である。
【図７】従来の不正検出装置の一例を示す説明図である。
【符号の説明】
【００３９】
１      スロットマシン不正検出装置
２      パチスロ機
３      電源瞬断検知手段
４      設定キー検知手段
５      電源瞬断警報手段
６      設定キー警報手段
７      不正設定変更検知器
８      不正表示装置
９      モニター
１０    リセットスイッチ
１１    設定スイッチ
１２    直流電源
１３    電源用ケーブル
１４    警報ボックス
１５    不正警報端子
１６    一括警報接続ケーブル
１７    キースイッチ
【図１】
2006141504.tif 000003
【図２】
2006141504.tif 000004
【図３】
2006141504.tif 000005
【図４】
2006141504.tif 000006
【図５】
2006141504.tif 000007
【図６】
2006141504.tif 000008
【図７】
2006141504.tif 000009